(57)【要約】【課題】破損の痕跡を残さずにはフィスカルユニットからフィスカルメモリ基板を取り出すことができないようにして、フィスカルメモリの改ざんを確実に防止することができるフィスカルユニット、フィスカルユニットの製造方法およびプリンタを提供する。【解決手段】フィスカルユニット２０は、フィスカルメモリ基板１０を挿入して保持するための保持部４１０と、保持部４１０内に配置されてフィスカルメモリ基板１０を保持部４１０内に固定するための封止剤５６０を備え、フィスカルメモリ基板１０に対面する保持部４１０の内面には、突起部４５０が形成されている。【選択図】図１２
2008046953.tif 000002
【特許請求の範囲】
【請求項１】
フィスカルメモリを搭載しているフィスカルメモリ基板を保持するフィスカルユニットであって、
前記フィスカルメモリ基板を挿入して保持するための保持部と、
前記保持部内に配置されて前記フィスカルメモリ基板を前記保持部内に固定するための封止剤と、を備え、
前記フィスカルメモリ基板に対面する前記保持部の内面には、突起部が形成されていることを特徴とするフィスカルユニット。
【請求項２】
前記突起部は前記封止剤である樹脂により覆われていることを特徴とする請求項１に記載のフィスカルユニット。
【請求項３】
前記保持部は、前記フィスカルメモリ基板を収容して保持する金属製のポケット部であり、前記フィスカルメモリ基板に対面する前記保持部の少なくとも一方の内面には、前記突起部が形成されていることを特徴とする請求項２に記載のフィスカルユニット。
【請求項４】
前記突起部は、前記フィスカルメモリ基板を挿入するための前記保持部の開口部に近い位置に形成されていることを特徴とする請求項３に記載のフィスカルユニット。
【請求項５】
前記フィスカルメモリ基板に配置されて、前記基板が前記保持部に挿入された状態で、前記フィスカルメモリ基板が前記保持部に接触するのを防止して電気絶縁性を確保する接触防止部を備え、前記接触防止部は、前記フィスカルメモリ基板に搭載されて回路上機能する部品であることを特徴とする請求項１に記載のフィスカルユニット。
【請求項６】
前記フィスカルメモリ基板に配置されて、前記基板が前記保持部に挿入された状態で、前記フィスカルメモリ基板が前記保持部に接触するのを防止して電気絶縁性を確保する接触防止部を備え、前記接触防止部は、前記フィスカルメモリ基板に搭載されて回路上機能しないダミーの部品であることを特徴とする請求項１に記載のフィスカルユニット。
【請求項７】
前記接触防止部は、前記フィスカルメモリ基板の少なくとも一方の面に配置されていることを特徴とする請求項５または請求項６に記載のフィスカルユニット。
【請求項８】
フィスカルメモリを搭載しているフィスカルメモリ基板を保持するフィスカルユニットの製造方法であって、
前記フィスカルユニットの保持部内に封止剤を入れて、
前記保持部内に前記フィスカル基板を挿入して前記封止剤により前記フィスカル基板を固定し、
前記フィスカルメモリ基板に対面する前記保持部の内面に形成されている突起部を前記封止剤により覆うことを特徴とするフィスカルユニットの製造方法。
【請求項９】
フィスカルメモリを搭載しているフィスカルメモリ基板を保持するフィスカルユニットを有するプリンタであって、
前記フィスカルユニットは、
前記フィスカル基板を挿入して保持するための保持部と、
前記保持部内に配置されて前記フィスカル基板を前記保持部内に固定するための封止剤と、を備え、
前記フィスカルメモリ基板に対面する前記保持部の内面には、突起部が形成されていることを特徴とするフィスカルユニットを有するプリンタ。
【発明の詳細な説明】
【技術分野】
【０００１】
本発明は、フィスカルユニットおよびフィスカルユニットを有するプリンタに関し、特にフィスカルメモリを有しておりフィスカルメモリの改ざんを防止することができるフィスカルユニット、フィスカルユニットの製造方法およびフィスカルユニットを有するプリンタに関する。
【背景技術】
【０００２】
小売業などで用いられる会計用のプリンタは、フィスカルメモリ基板を有しており、フィスカルメモリ基板には、フィスカルメモリが実装されている。このフィスカルメモリに記憶されているフィスカルデータが改ざんできないようにするために、フィスカルメモリを実装しているフィスカルメモリ基板がフィスカルユニットのカバー部材から簡単に取り外しできない構成とすることが、法律（フィスカル法）で要求されている。このため、フィスカルメモリは樹脂で覆って固定することが要求されている。
【０００３】
従来、電子部品が基板の一方の面に実装されており、電子部品と基板の一方の面が蓋体で封止されており、蓋体は基板の一方の面に対して樹脂を用いて固定されているものが提案されている（例えば、特許文献１参照）。
【特許文献１】特開平７−１５１６３号公報
【発明の開示】
【発明が解決しようとする課題】
【０００４】
ところが、フィスカルメモリ基板を樹脂により封止するために、特許文献１に開示されている基板の封止構造を採用すると、フィスカルメモリ基板上のフィスカルメモリは、蓋体を外せば簡単に露出させることできる。
【０００５】
このため、フィスカルメモリに記憶されているフィスカルデータの改ざんを、破損の痕跡を残さずに行うことが容易にできるおそれがあり、フィスカルデータの改ざんを防止することが難しい。
【０００６】
そこで、本発明は上記課題を解消するために、破損の痕跡を残さずにはフィスカルユニットからフィスカルメモリ基板を取り出すことができないようにして、フィスカルメモリの改ざんを確実に防止することができるフィスカルユニット、フィスカルユニットの製造方法およびプリンタを提供することを目的とする。
【課題を解決するための手段】
【０００７】
上記課題を解消するために、本発明の態様にかかるフィスカルユニットは、フィスカルメモリを搭載しているフィスカルメモリ基板を保持するフィスカルユニットであって、
前記フィスカルメモリ基板を挿入して保持するための保持部と、
前記保持部内に配置されて前記フィスカルメモリ基板を前記保持部内に固定するための封止剤と、を備え、
前記フィスカルメモリ基板に対面する前記保持部の内面には、突起部が形成されていることを特徴とする。この態様によると、破損の痕跡を残さずにはフィスカルユニットからフィスカルメモリ基板を取り出すことができないようにして、フィスカルメモリ基板が簡単には取り出せなくなり、フィスカルメモリの改ざんを確実に防止することができる。
【０００８】
本発明の他の態様にかかるフィスカルユニットは、好ましくは前記突起部は前記封止剤である樹脂により覆われていることを特徴とする。この態様によると、樹脂は突起部により固定されるので、樹脂やフィスカルメモリ基板に対して破損した痕跡を残さずには、フィスカルユニットからフィスカルメモリを取り出すことができない。
【０００９】
本発明の他の態様にかかるフィスカルユニットは、好ましくは前記保持部は、前記フィスカルメモリ基板を収容して保持する金属製のポケット部であり、前記フィスカルメモリ基板に対面する前記保持部の少なくとも一方の内面には、前記突起部が形成されていることを特徴とする。この態様によると、簡単な構成でありながら、封止剤やフィスカルメモリ基板に対して破損した痕跡を残さずには、フィスカルユニットからフィスカルメモリを取り出すことができない。
【００１０】
本発明の他の態様にかかるフィスカルユニットは、前記突起部は、前記フィスカルメモリ基板を挿入するための前記保持部の開口部に近い位置に形成されていることを特徴とする。この態様によると、開口部付近の突起部の存在により、フィスカルメモリ基板が保持部内から抜き出されるのを防止できる。
【００１１】
本発明の他の態様にかかるフィスカルユニットは、好ましくは前記フィスカルメモリ基板に配置されて、前記基板が前記保持部に挿入された状態で、前記フィスカルメモリ基板が前記保持部に接触するのを防止して電気絶縁性を確保する接触防止部を備え、前記接触防止部は、前記フィスカルメモリ基板に搭載されて回路上機能する部品であることを特徴とする。この態様によると、電気絶縁性の部品を別途用意しなくても、フィスカルメモリ基板の部品が金属製の保持部に接触するのを確実に防止できる。
【００１２】
本発明の他の態様にかかるフィスカルユニットは、好ましくは前記フィスカルメモリ基板に配置されて、前記基板が前記保持部に挿入された状態で、前記フィスカルメモリ基板が前記保持部に接触するのを防止して電気絶縁性を確保する接触防止部を備え、前記接触防止部は、前記フィスカルメモリ基板に搭載されて回路上機能しないダミーの部品であることを特徴とする。この態様によると、電気絶縁性の部品を別途用意しなくても、フィスカルメモリ基板の部品が金属製の保持部に接触するのを確実に防止できる。
【００１３】
本発明の他の態様にかかるフィスカルユニットは、好ましくは前記接触防止部は、前記フィスカルメモリ基板の少なくとも一方の面に配置されていることを特徴とする。この態様によると、フィスカルメモリ基板の一方の面だけに導電物が配置されている場合に、接触防止部は一方の面だけに配置すればよく、フィスカルユニットとフィスカルメモリ基板の構造を簡単化できる。
【００１４】
本発明の態様にかかるフィスカルユニットの製造方法によれば、フィスカルメモリを搭載しているフィスカルメモリ基板を保持するフィスカルユニットの製造方法であって、
前記フィスカルユニットの保持部内に封止剤を入れて、
前記保持部内に前記フィスカル基板を挿入して前記封止剤により前記フィスカル基板を固定し、
前記フィスカルメモリ基板に対面する前記保持部の内面に形成されている突起部を前記封止剤により覆うことを特徴とする。この態様によると、破損の痕跡を残さずにはフィスカルユニットからフィスカルメモリ基板を取り出すことができないようにして、フィスカルメモリの改ざんを確実に防止することができるフィスカルユニットが得られる。
【００１５】
本発明の態様にかかるフィスカルユニットを有するプリンタによれば、フィスカルメモリを搭載しているフィスカルメモリ基板を保持するフィスカルユニットを有するプリンタであって、
前記フィスカルユニットは、
前記フィスカル基板を挿入して保持するための保持部と、
前記保持部内に配置されて前記フィスカル基板を前記保持部内に固定するための封止剤と、を備え、
前記フィスカルメモリ基板に対面する前記保持部の内面には、突起部が形成されていることを特徴とする。この態様によると、破損の痕跡を残さずにはフィスカルユニットからフィスカルメモリ基板を取り出すことができないようにして、フィスカルメモリの改ざんを確実に防止することができる。
【発明の効果】
【００１６】
本発明のフィスカルユニットによれば、破損の痕跡を残さずにはフィスカルユニットからフィスカルメモリ基板を取り出すことができないようにして、フィスカルメモリの改ざんを確実に防止することができる。
【００１７】
本発明のフィスカルユニットの製造方法によれば、破損の痕跡を残さずにはフィスカルユニットからフィスカルメモリ基板を取り出すことができないようにして、フィスカルメモリの改ざんを確実に防止することができるフィスカルユニットが得られる。
【００１８】
本発明のフィスカルユニットを有するプリンタによれば、破損の痕跡を残さずにはフィスカルユニットからフィスカルメモリ基板を取り出すことができないようにして、フィスカルメモリの改ざんを確実に防止することができる。
【発明を実施するための最良の形態】
【００１９】
以下、図面を参照して、本発明の好ましい実施形態を詳細に説明する。  
【００２０】
図１は、本発明のフィスカルユニットおよびフィスカルユニットを有するプリンタの好ましい実施形態を示す分解斜視図である。図２は、本発明のフィスカルユニットおよびフィスカルユニットを有するプリンタの好ましい実施形態を別示す斜視図である。
【００２１】
図１と図２に示すプリンタ１は、フィスカルユニット２０を有している。フィスカルユニット２０は、フィスカルメモリ基板１０を備えており、図２に示すように、フィスカルメモリ基板１０はフィスカルメモリ１００を実装している。このプリンタ１は、フィスカルプリンタとも呼ばれ、販売取引の際には販売取引に関するフィスカルデータ（フィスカル情報ともいう）をモニタリングして記憶するために使用される。フィスカルメモリ基板１０はフィスカル基板ともいう。
【００２２】
フィスカルメモリ１００に記憶されているフィスカルデータが改ざんできないようにするために、フィスカルメモリ１００はフィスカルユニット２０から簡単に取り外しできない構成とすることが、法律（フィスカル法）で要求されている。会計上のフィスカル法（フィスカルデータ、フィスカル情報）の内容は、国によって異なっている。
【００２３】
まず、図１〜図３を参照して、プリンタ１の構造について説明する。図３は、本体２の後部５の下部にフィスカルユニット２０が装着されている状態を示すプリンタ１の側面図である。
【００２４】
図１と図２に示すプリンタ１は、本体２と下部カバー３を有している。プリンタ１は、例えば顧客に渡すフィスカルレシートや、小売業者用のレシートの控えであるジャーナルを印刷して排出したり、１日毎の合計を記憶したり、レシートの商品品目毎に合計額を加算する。
【００２５】
図１に示す本体２の前部４は、例えばフィスカルレシートやジャーナルを排出する。本体２の後部５の下部には、長方形状の開口部６が設けられている。
【００２６】
図３に示すように、フィスカルユニット２０が、後部５の開口部６に対応して本体２に対して着脱可能に装着されるようになっている。このフィスカルユニット２０はフィスカルモジュールと呼ぶこともできる。
【００２７】
図２に示すように、このフィスカルユニット２０は、第１基板としてのフィスカルメモリ基板１０と、第２基板であるインターフェース基板２００と、金属製のカバー部材３００を有している。フィスカルメモリ基板１０とインターフェース基板２００は、カバー部材３００によりＹ方向に沿って平行に保持されている。図２に示す例では、フィスカルメモリ基板１０とインターフェース基板２００は共に長方形あるいは正方形の回路基板である。図示例では、インターフェース基板２００側に実装される部品数がフィスカルメモリ基板１０に実装される部品数に比べて多いことから、インターフェース基板２００がフィスカルメモリ基板１０に比べて大きい。
【００２８】
次に、図４と図５を参照して、フィスカルユニット２０のフィスカルメモリ基板１０とインターフェース基板２００と金属製のカバー部材３００の構造について、詳しく説明する。
【００２９】
図４は、カバー部材３００とフィスカルメモリ基板１０を第１方向から示す斜視図であり、図５は、カバー部材３００とフィスカルメモリ基板１０を第１方向とは反対の第２方向から示す斜視図である。カバー部材３００は、基板のホルダーとも呼ぶことができる。
【００３０】
まず、カバー部材３００について説明する。図４と図５に示すように、カバー部材３００は、例えば鉄板などの金属板を折り曲げることにより箱形に形成されており、側面部３０１，３０２，３０３，３０４と、底面部３０５を有している。
【００３１】
側面部３０１，３０２，３０３，３０４は、底面部３０５の４辺から９０度立ち上げて形成されている。側面部３０１と側面部３０２は対向して配置され、側面部３０３と側面部３０４は対向して配置されている。側面部３０１と側面部３０２の面積は、側面部３０３と側面部３０４の面積に比べて大きい。
【００３２】
図４に示すように、４つの側面部３０１，３０２，３０３，３０４と底面部３０５は、収容空間３２０を形成している。この収容空間３２０の開口部３２１には、図２に示すインターフェース基板２００の挿入端部側が挿入して保持されるようになっている。
【００３３】
カバー部材３００の収容空間３２０内には、保持部４１０が、フィスカルメモリ基板１０を挿入して保持するために設けられている。
【００３４】
側面部３０３は取り付け片部３０６を有し、側面部３０４は取り付け片部３０７を有している。取り付け片部３０６，３０７は、側面部３０３と側面部３０４からそれぞれ９０度外側に向けて折り曲げて形成されている。取り付け片部３０６，３０７は、それぞれボルトを挿入するための穴３０８を有している。
【００３５】
図２に示すように、このフィスカルユニット２０のカバー部材３００は、ボルト３１０を穴３０８に通してボルト３１０を本体２の雌ネジ３１１にねじ込むことで、本体３１０の開口部６に対応して後部５に対して着脱可能に固定することができる。図４に示すカバー部材３００の開口部３２１の大きさは、例えば図２に示す本体２の開口部６の大きさに対応している。
【００３６】
このようにしてフィスカルユニット２０が本体２に対して固定された状態では、図３に示すように、フィスカルメモリ基板１０の一部分とインターフェース基板２００の一部分が、本体２内に位置決めされる。
【００３７】
次に、図４と図５に示すフィスカルメモリ基板１０を保持するための保持部４１０について説明する。
【００３８】
カバー部材３００の保持部４１０は、収容空間であるスペース４４１を有しており、フィスカルメモリ基板１０がスペース４４１内に挿入される。カバー部材３００の保持部４１０は、フィスカルメモリ基板１０とフィスカルメモリ１００および回路上機能する部品を保護するための保護装置である。
【００３９】
この保持部４１０は、ケースあるいはポケット部とも言うことができ、保持部４１０は、カバー部材３００の収容空間３２０内において、側面部３０２の内面３３０側に設けられている。
【００４０】
保持部４１０は、側面部３０２の内面３３０と、側面部４１１と、側面部４１２，４１３と、底面部４１４により形成されている薄型の容器である。側面部３０２の内面３３０と側面部４１１と側面部４１２，４１３は、長方形状の開口部４４０を形成している。
【００４１】
図６は、保持部４１０を示す平面図である。図４と図６に示す開口部４４０の長さＬは、フィスカルメモリ基板１００の長さＭよりもやや大きく、開口部４４０の幅Ｄは、フィスカルメモリ基板１００の厚みＮよりも大きく設定されている。
【００４２】
図４と図６に示すように、側面部３０２の内面３３０と側面部４１１の内面４９１には、それぞれ複数の突起部４５０が突出して形成されている。内面３３０の各突起部４５０と内面４９１の各突起部４５０は、例えば互いに対面する位置に形成されている。
【００４３】
内面３３０の各突起部４５０は、好ましくは内面３３０において開口部４４０側に近い位置において間隔を空けて並べて形成されている。内面４９１の突起部４５０は、好ましくは内面４９１において開口部４４０側に近い位置において間隔を空けて並べて形成されている。つまり、各突起部４５０は、好ましくは保持部４１０の開口部４４０に近い位置であって、底面部４１４からは離れた位置に形成されている。各突起部４５０は図示例では例えば円形断面を有する。
【００４４】
次に、図２に示すフィスカルメモリ基板１０の形状例と、インターフェース基板２００の形状例について説明する。
【００４５】
図２に示すように、フィスカルメモリ基板１０とインターフェース基板２００は、フィスカルユニット２０のカバー部材３００に対して挿入して保持される。
【００４６】
フィスカルメモリ基板１０は、図４と図５に示すように保持部４１０内のスペース４４１内に挿入して保持される。インターフェース基板２００は、図２と図３に示すようにカバー部材３００の収容空間３２０内に挿入して保持される。フィスカルメモリ基板１０はインターフェース基板２００に対して平行になるように保持されている。
【００４７】
図４と図５に示すように、フィスカルメモリ基板１０は、第１面１０Ａと第２面１０Ｂを有している。
【００４８】
図４に例示するように、フィスカルメモリ基板１０の第１面１０Ａには、ＣＰＬＤ１１と、例えばその他の回路上機能する部品１００Ｍ、１００Ｎなどが実装されている。
【００４９】
図５に例示するように、フィスカルメモリ１００とその他の回路上機能する電子部品１００Ｈとコネクタ１００Ｔが実装されている。
【００５０】
図４に示すＣＰＬＤ１１は、図２のインターフェース基板２００に実装されたメインＣＰＵと、図５に示すフィスカルメモリ１００に電気的に接続されている。このＣＰＬＤ１１は、プログラム可能な論理回路を書き込んだデバイスであり、フィスカルメモリ１００への書き込み／読み出しを制御する。また、ＣＰＬＤ１１はデータの改ざんの防止の機能を持っている。
【００５１】
フィスカルメモリ１００は、売り上げに対する税金のデータを記録して、改ざん防止のために、ワンタイムＲＯＭと呼ばれる１つのアドレスに１度しか書き込みできないタイプのメモリを使用する。
【００５２】
図５に示すコネクタ１００Ｔは、フレキシブルフラットケーブル１００Ｆの一端部側に電気的に接続され、別のコネクタ１００Ｇは、フレキシブルフラットケーブル１００Ｆの他端部側に電気的に接続されている。コネクタ１００Ｇは、図２に示すようにインターフェース基板２００側に対して電気的かつ機械的に接続される。これにより、フィスカルメモリ基板１０の回路とインターフェース基板２００の回路は、フレキシブルフラットケーブル１００Ｆを通じて電気的に接続されている。
【００５３】
図７は、フィスカルメモリ基板１０の第１面１０Ａと第２面１０Ｂを示しており、特に第１面１０Ａと第２面１０Ｂにおける接触防止部１５０，１６０の配置例を示している。
【００５４】
図７に示すように、フィスカルメモリ基板１０の第１面１０Ａには、ほぼ四隅の位置に電気絶縁性を有する接触防止部１５０が搭載されている。これらの４つの接触防止部１５０は、図４に示すフィスカルメモリ基板１０の第１面１０Ａと側面部４１１の内面４９１との間に電気絶縁用の空間を確保することで、第１面１０ＡのＣＰＬＤ１１とその他の回路上機能する部品１００Ｍ、１００Ｎなどと側面部４１１の内面４９１との電気的な接触を無くして電気絶縁性を確保する。
【００５５】
この接触防止部１５０は、フィスカルメモリ基板１０の第１面１０Ａに搭載されて回路上機能する部品、例えばコンデンサやダイオードなどであっても良いし、フィスカルメモリ基板１０の第１面１０Ａに搭載されて回路上機能しないダミー部品であっても良い。
【００５６】
また、図５と図７に示すように、フィスカルメモリ基板１０の第２面１０Ｂには、ほぼ四隅の位置に電気絶縁性を有する接触防止部１６０が搭載されている。これらの４つの接触防止部１６０は、図５に示すフィスカルメモリ基板１０の第２面１０Ｂと内面３３０との間に電気絶縁用の空間を確保することで、第２面１０Ｂのフィスカルメモリ１００などと内面３３０の内面との間の電気的な接触を無くして電気絶縁性を確保する。
【００５７】
この接触防止部１６０は、フィスカルメモリ基板１０の第２面１０Ｂに搭載されて回路上機能する部品、例えばコンデンサやダイオードなどであっても良いし、フィスカルメモリ基板１０の第２面１０Ｂに搭載されて回路上機能しないダミー部品であっても良い。接触防止部１５０，１６０は、図示例では互いに対応する位置に位置決めされている。
【００５８】
このように、接触防止部１５０，１６０は、フィスカルメモリ基板１０の第１面１０Ａと第２面１０Ｂと、保持部４１０の内面３３０，４９１との間に機械的な間隔を設定することで電気的絶縁を確保できる。
【００５９】
接触防止部１５０の第１面１０Ａにおける実装高さ（搭載高さ）は、フィスカルメモリ基板１０に実装されているＣＰＬＤ１１と、例えばその他の回路上機能する部品１００Ｍ、１００Ｎなどの第１面１０Ａにおける実装高さ（搭載高さ）よりも大きく設定されている。これにより、各部品が側面部４１１の内面４９１に対して電気的に接触するのを確実に防げる。
【００６０】
接触防止部１６０の第２面１０Ｂにおける実装高さ（搭載高さ）は、フィスカルメモリ基板１０に実装されているフィスカルメモリ１００や他の部品１００Ｈなどの第２面１０Ｂにおける実装高さ（搭載高さ）よりも大きく設定されている。これにより、各部品が保持部４１０の側面部３３０に対して電気的に接触するのを確実に防げる。
【００６１】
図２に示すインターフェース基板２００は、コネクタＣ１，Ｃ２，Ｃ３とメインＣＰＵ（中央処理装置）とメモリなどを実装している。インターフェース基板２００のコネクタＣ３は、プリンタ１の本体２内に配置されているメイン基板５００に対して電気的かつ機械的に接続することができる。また、インターフェース基板２００は、コネクタＣ１，Ｃ２を用いてホストコンピュータ（ＨＯＳＴ）７００に対して電気的に接続される。
【００６２】
次に、フィスカルメモリ基板１０が、カバー部材３００の保持部４１０のスペース４４１内に挿入して保持されてしかも固定されるフィスカルユニットの製造方法を説明する。
【００６３】
図８に示すように、カバー部材３００の保持部４１０のスペース４４１内には、封止剤５６０が、封止剤供給部５５０からシリンジ５５１を通じて供給される。これにより、図９と図１０に示すように、所定量の封止剤５６０が保持部４１０のスペース４４１内に充填される。この際に、保持部４１０内には複数の突起部４５０があるが、封止剤５６０の充填には支障がない。封止剤５６０としては、例えばエポキシ樹脂のような樹脂を採用することができる。
【００６４】
次に、図９に示すように、フィスカルメモリ基板１０が、Ｅ方向に沿って保持部４１０のスペース４４１内に挿入される。図１１と図１２に示すように、フィスカルメモリ基板１０は、その一部分を除いて保持部４１０のスペース４４１内に収容して保持される。図１２に示すように、フィスカルメモリ基板１０の第１面１０Ａの各部品と第２面１０Ｂの各部品は封止剤５６０により覆われることで封止される。
【００６５】
これにより、図１２（Ｂ）に示すように、第１面１０Ａ側のＣＬＰＤ１１と第２面１０Ｂ側のフィスカルメモリ１００は、封止剤５６０により覆われることで確実に封止される。保持部４１０のスペース４４１内に充填される封止剤５６０の量としては、封止剤５６０が、フィスカルメモリ基板１０の第１面１０Ａの各部品と第２面１０Ｂの各部品および各突起部４５０を覆うことができ、しかも第１面１０Ａと第２面１０Ｂと保持部４１０の間を充填できる量である。
【００６６】
ところで、図１２（Ａ）と図１２（Ｂ）に示すように、フィスカルメモリ基板１０の第１面１０Ａには、ほぼ四隅の位置に接触防止部１５０が搭載され、フィスカルメモリ基板１０の第２面１０Ｂには、ほぼ四隅の位置に接触防止部１６０が搭載されている。このことから、４つの接触防止部１５０は、図１２に示すフィスカルメモリ基板１０の第１面１０Ａと側面部４１１の内面４９１との間の電気的な接触を無くして電気絶縁性を確保すると共に、フィスカルメモリ基板１０の第２面１０Ｂと内面３３０との間の電気的な接触を無くして電気絶縁性を確保できる。
【００６７】
また、図１２（Ａ）と図１２（Ｂ）に示すように、保持部４１０内には複数の突起部４５０が予め設けられているが、封止剤５６０が各突起部４５０を覆うようにして保持部４１０内に充填されている。これにより、封止剤５６０が固まって、フィスカルメモリ基板１０が保持部４１０内で固定された後に、仮にフィスカルメモリ１００内のフィスカルデータを改ざんしようとする者が、フィスカルメモリ基板１０を図１１のＺ方向に持ち上げて保持部４１０内から引き抜こうとしても、複数の突起部４５０は封止剤５６０が持ち上がるのを防ぐストッパーの役目を果たす。従って、フィスカルメモリ基板１０自体やフィスカルメモリ基板１０を覆っている封止剤５６０に痕跡を残さずには、フィスカルユニット２０の保持部４１０内からフィスカルメモリ基板１０を取り出すことができない。このため、フィスカルメモリ１００の改ざんを確実に防止することができる。
【００６８】
以上のように、フィスカルメモリ基板１０は、フィスカルユニット２０のカバー部材３００の保持部４１０から容易に抜くことができないので、フィスカルメモリ基板１０のフィスカルメモリ１００に記憶されているフィスカルデータの改ざんを、確実に防止することができる。
【００６９】
フィスカルメモリ基板１０は封止剤５６０により固定されしかも突起部４５０により抜き出し難くしていることから、仮に、フィスカルメモリ基板１０が、カバー部材３００の保持部４１０から無理やり抜き取れたとしても、フィスカルメモリ基板１０のフィスカルメモリ１００と覆っている封止剤５６０には破損の痕跡が残ることから、この場合には、例えばフィスカルメモリ１００のフィスカルデータを改ざんしたものとみなすことができる。
【００７０】
上述した例では、図９に示すように先に封止剤５６０が保持部４１０内に注入されて、その後保持部４１０内にフィスカルメモリ基板１０が挿入されるようにしている。このように先に封止剤５６０を保持部４１０内に入れた後に、保持部４１０内にフィスカルメモリ基板１０を挿入するので、封止剤５６０は保持部４１０の内面とフィスカルメモリ基板１０の各部品の間に確実に充填でき、封止剤５６０はフィスカルメモリ基板１０の各部品と突起部４５０を確実に覆うことができる。逆に、保持部４１０内にフィスカルメモリ基板１０を挿入した後に、封止剤５６０を保持部４１０内に注入してもよいが、この場合には保持部４１０の内面とフィスカルメモリ基板１０の間に封止剤５６０をゆっくりと注入しなければならないので、封止剤５６０の注入に時間がかかってしまう。
【００７１】
また、フィスカルメモリ基板１０は接触防止部１５０，１６０を有しており、フィスカルメモリ基板１０をカバー部材３００内に挿入して固定する際に、フィスカルメモリ基板１０をカバー部材３００に対して別途電気絶縁するための別部品を作成する必要がない。このことから、フィスカルユニット２０の構造を簡単化でき、保持部４１０をできる限りフィスカルメモリ基板１０の厚みに近づけることができるので、フィスカルユニット２０の薄型化が図れる。
【００７２】
接触防止部１５０，１６０をフィスカルメモリ基板１０に対して実装する工程だけを追加的に行えば済むので、基板の絶縁処理のための余分な製造工程が不要となる。
【００７３】
接触防止部１５０，１６０がフィスカルメモリ基板１０に実装されていることにより、フィスカルメモリ基板１０と保持部４１０の間には、確実に空間が形成でき、この空間に樹脂などの封止剤を容易にしかも確実に充填することができる。
【００７４】
フィスカルメモリ基板１０の第１面と第２面には、それぞれ高さのある部品がバランス良く配置されており、フィスカルメモリ基板１０は狭いスペースの保持部４１０内に挿入されても、フィスカルメモリ基板１０の各部品と金属製の保持部４１０との間の電気絶縁性を確保できる。
【００７５】
本発明の実施形態では、フィスカルユニット２０は、フィスカルメモリ１００を搭載しているフィスカルメモリ基板１０を保持する。フィスカルユニット２０は、
フィスカルメモリ基板１０を挿入して保持するための保持部４１０と、保持部４１０内に配置されてフィスカルメモリ基板１０を保持部４１０内に固定するための封止剤５６０を備える。フィスカルメモリ基板１０に対面する保持部４１０の内面には、突起部４５０が形成されている。これにより、封止剤５６０とフィスカルメモリ基板１０に対して痕跡を残さずには、フィスカルユニット２０の保持部４１０内からフィスカルメモリ基板１０を簡単には取り出すことができない。従って、フィスカルメモリ１００の改ざんを確実に防止することができる。
【００７６】
本発明の実施形態では、突起部４５０は封止剤５６０としての樹脂により覆われている。これにより、樹脂は突起部４５０により固定されるので、樹脂やフィスカルメモリ基板１０に対して破損した痕跡を残さずには、フィスカルユニット２０からフィスカルメモリ１００を取り出すことができない。
【００７７】
本発明の実施形態では、保持部４１０は、フィスカルメモリ基板１０を収容して保持する金属製のポケット部であり、フィスカルメモリ基板１０に対面する保持部４１０の少なくとも一方の内面３３０，４９１には、突起部４５０が形成されている。これにより、簡単な構成でありながら、封止剤５６０やフィスカルメモリ基板１０に対して破損した痕跡を残さずには、フィスカルユニット２０からフィスカルメモリ１００を取り出すことができない。
【００７８】
本発明の実施形態では、突起部４５０は、フィスカルメモリ基板１０を挿入するための保持部４１０の開口部に近い位置に形成されている。これにより、開口部付近の突起部４５０の存在により、フィスカルメモリ基板１０が保持部４１０内から抜き出されるのを防止できる。仮に、フィスカルメモリ基板１０が保持部４１０内から抜き出せたとしても、封止剤５６０やフィスカルメモリ基板１０に対して破損した痕跡を確実に残すことができる。
【００７９】
本発明の実施形態では、接触防止部１５０，１６０がフィスカルメモリ基板１０に配置されており、フィスカルメモリ基板１０が保持部４１０に挿入された状態で、フィスカルメモリ基板１０の部品が金属製の保持部４１０に接触するのを防止して電気絶縁性を確保できる。接触防止部１５０，１６０は、フィスカルメモリ基板１０に搭載されて回路上機能する部品である。これにより、電気絶縁性の部品を別途用意しなくても、フィスカルメモリ基板１０の部品が金属製の保持部４１０に接触するのを確実に防止できる。
【００８０】
本発明の実施形態では、接触防止部１５０，１６０がフィスカルメモリ基板１０に配置されており、フィスカルメモリ基板１０が保持部４１０に挿入された状態で、フィスカルメモリ基板１０が金属製の保持部４１０に接触するのを防止して電気絶縁性を確保できる。接触防止部１５０，１６０は、フィスカルメモリ基板１０に搭載されて回路上機能しないダミーの部品である。これにより、電気絶縁性の部品を別途用意しなくても、フィスカルメモリ基板１０の部品が金属製の保持部４１０に接触するのを確実に防止できる。
【００８１】
本発明の実施形態では、接触防止部は、フィスカルメモリ基板１０の少なくとも一方の面に配置されている。これにより、フィスカルメモリ基板１０の一方の面だけに導電物が配置されている場合に、接触防止部は一方の面だけに配置すればよく、フィスカルユニットとフィスカルメモリ基板の構造を簡単化できる。
【００８２】
ところで、本発明は、上記実施形態に限定されず種々の変形例を採用できる。
【００８３】
封止剤５６０は例えばエポキシ樹脂などの樹脂以外の電気絶縁性を有する材料を使用することも可能である。
【００８４】
突起部４５０は、内面３３０と側面部４１１においてそれぞれ例えば４つ点状に形成されているが、突起部４５０の形成個数や形状に特に限定されるものではない。例えば図１３に示すように、突起部４５０Ｔは、開口部４４０に沿って線状に形成されている。
【００８５】
突起部が形成されているのは、開口部４４０側に近い位置であるが、これに限らず他の位置であっても良い。
【００８６】
また、接触防止部１５０，１６０は、例えば回路上機能する部品や、回路上機能しないダミー部品を使用できるが、この他に電気絶縁性を有する他の種類の部品あるいは突起を設けることができる。
【００８７】
接触防止部は、フィスカルメモリ基板の両面に設けている。しかし、フィスカルメモリやその他の回路上機能する部品がフィスカルメモリ基板の一方の面に設けられており、他方の面には部品と回路配線パターンなどの導電物が形成されていない場合には、例えば接触防止部が、少なくともその一方の面に配置する。すなわち、接触防止部はフィスカルメモリ基板の片面だけに設けることもできる。
【図面の簡単な説明】
【００８８】
【図１】本発明のフィスカルユニットおよびフィスカルユニットを有するプリンタの好ましい実施形態を示す斜視図である。
【図２】本発明のフィスカルユニットおよびフィスカルユニットを有するプリンタの好ましい実施形態を示す斜視図である。
【図３】本体の後部の下部にフィスカルユニットが装着されている状態を示すプリンタの側面図である。
【図４】金属製のカバー部材とフィスカルメモリ基板を第１方向から示す斜視図である。
【図５】金属製のカバー部材とフィスカルメモリ基板を第２方向から示す斜視図である。
【図６】封止剤が充填される前の保持部を示す平面図である。
【図７】フィスカルメモリ基板の第１面と第２面における接触防止部の配置例を示す図である。
【図８】封止剤が充填される状態を示す斜視図である。
【図９】封止剤が充填された後の保持部を示す斜視図である。
【図１０】封止剤が充填された後の保持部を示す図である。
【図１１】フィスカルメモリ基板が保持部に挿入して保持された状態を示す斜視図である。
【図１２】フィスカルメモリ基板が保持部に挿入して保持された状態を示す図である。
【図１３】本発明の別の実施形態を示す図である。
【符号の説明】
【００８９】
１    プリンタ                            ２    プリンタの本体
１０  フィスカルメモリ基板（第１基板）  
１０Ａ  フィスカルメモリ基板の第１面    
１０Ｂ  フィスカルメモリ基板の第２面      ２０  フィスカルユニット  
１００  フィスカルメモリ                  １５０  接触防止部    
１６０  接触防止部                    
２００  インターフェース基板（第２基板）  ３００  カバー部材    
４１０  保持部                            ４４１  保持部のスペース      
５６０  封止剤
【図１】
2008046953.tif 000003
【図２】
2008046953.tif 000004
【図３】
2008046953.tif 000005
【図４】
2008046953.tif 000006
【図５】
2008046953.tif 000007
【図６】
2008046953.tif 000008
【図７】
2008046953.tif 000009
【図８】
2008046953.tif 000010
【図９】
2008046953.tif 000011
【図１０】
2008046953.tif 000012
【図１１】
2008046953.tif 000013
【図１２】
2008046953.tif 000014
【図１３】
2008046953.tif 000015